(57)【特許請求の範囲】
【請求項１】
相手ハウジング嵌合室に嵌合された相手ハウジングをロックするロックアームと、操作によって前記ロックアームをロック解除位置に変位できるアーム操作部と、前記アーム操作部の解除操作方向に配置され、外部に導く電線をガイドする電線引出部と、前記電線引出部に設けられたカバー取付部とを有するコネクタハウジングと、
前記コネクタハウジングの前記電線引出部の外周側に入り込み、前記カバー取付部に嵌合するハウジング取付部と、前記ロックアームの過剰変位を規制するアーム過剰変位防止部とを有する電線カバーとを備え、
前記アーム過剰変位防止部は、前記電線カバーの前記ハウジング取付部が前記コネクタハウジングに取り付けされた状態で前記ロックアームの過剰変位を規制することを特徴とするコネクタ。
【請求項２】
請求項１記載のコネクタであって、
前記アーム過剰変位防止部は、前記ハウジング取付部の一部によって構成されていることを特徴とするコネクタ。
【発明の詳細な説明】
【技術分野】
【０００１】
本発明は、コネクタハウジングに電線カバーが取り付けられるコネクタに関する。
【背景技術】
【０００２】
例えば、自動車のワイヤーハーネスに使用されるコネクタには、相手コネクタとの間の嵌合を保持するためにロックアームを備えたものがある（特許文献１、特許文献２参照）。この種のコネクタの一従来例が図６〜図８に示されている。
【０００３】
図６〜図８において、コネクタのコネクタハウジング５１は、ハウジング前面側に開口された相手ハウジング嵌合室５２と、相手ハウジング嵌合室５２に嵌合された相手ハウジング（図示せず）をロックするロックアーム５３と、ハウジング後面より電線（図示せず）を外部に引き出すようガイドする電線引出部５４と、電線引出部５４より上方に突設されたアーム過剰変位防止部５５とを備えている。
【０００４】
相手ハウジング嵌合室５２には、複数の端子（図示せず）を収容する端子収容部５６が突設されている。
【０００５】
ロックアーム５３は、相手ハウジング嵌合室５２内に配置された係止部５３ａと、ハウジング後面側に配置されたアーム操作部５３ｂとを有する。アーム操作部５３ｂの上面側のコネクタハウジング５１は開口部５１ａとされている。この開口部５１ａを利用して作業者がアーム操作部５３ｂを押下できる。アーム操作部５３ｂを押下することによってロックアーム５３をロック位置（図８（ａ）の位置）からロック解除位置（図８（ｂ）の位置）に弾性変形によって変位できる。
【０００６】
上記構成において、コネクタ嵌合するには、アーム操作部５３ｂを押下してロックアーム５３をロック解除位置とし、相手コネクタハウジング（図示せず）を相手ハウジング嵌合室５２に挿入する。相手コネクタハウジング（図示せず）を嵌合完了位置まで挿入すると、アーム操作部５３ｂの押下を止める。すると、ロックアーム５３がロック位置に変位し、相手コネクタハウジング（図示せず）の被係止部（図示せず）に係止する。これにより、双方のコネクタハウジング５１，（図示せず）間が嵌合状態でロックされる。
【０００７】
コネクタ嵌合を解除するには、アーム操作部５３ｂを押下してロックアーム５３をロック解除位置とし、相手コネクタハウジング（図示せず）を相手ハウジング嵌合室５２より引き抜けば良い。
【０００８】
上記したコネクタハウジング５１によれば、ロックアーム５３を有するためにコネクタ嵌合を確実に保持できるという利点がある。又、ロックアーム５３は、アーム過剰変位防止部５５によって過剰に変位されることがないという利点がある。
【先行技術文献】
【特許文献】
【０００９】
【特許文献１】特開平７−５７８１８号公報
【特許文献２】特開２００８−２７６９１号公報
【発明の概要】
【発明が解決しようとする課題】
【００１０】
ところで、コネクタハウジング５１には、電線引出部５４より外部に引き出された電線を保護するために電線カバーを取り付ける場合がある。
【００１１】
ここで、図９に示すように、コネクタハウジング５１の後面位置に突き合わせるようにして電線カバー６０を取り付ける構造とすると、コネクタハウジング５１の後面からの電線カバー６０の突出寸法Ｌ２が大きくなる。コネクタハウジング５１の後面側にスペースがない場合には、電線カバー６０を取り付けできない。
【００１２】
電線カバー６０の突出寸法Ｌ２を小さくするため、図１０に示すように、コネクタハウジング５１の後面側に電線カバー６０の一部が入り込むような取付構造とすることが考えられる。しかし、コネクタハウジング５１のハウジング後面側にはアーム過剰変位防止部５５が設けられているため、電線カバー６０を取り付けることができない。
【００１３】
そこで、本発明は、前記した課題を解決すべくなされたものであり、電線カバーの突出寸法を小さくでき、しかも、ロックアームの過剰変位を防止できるコネクタを提供することを目的とする。
【課題を解決するための手段】
【００１４】
本発明は、相手ハウジング嵌合室に嵌合された相手ハウジングをロックするロックアームと、操作によって前記ロックアームをロック解除位置に変位できるアーム操作部と、前記アーム操作部の解除操作方向に配置され、外部に導く電線をガイドする電線引出部と、前記電線引出部の外周側に設けられたカバー取付部とを有するコネクタハウジングと、前記コネクタハウジングの前記電線引出部の外周側に入り込み、前記カバー取付部に嵌合するハウジング取付部と、前記ロックアームの過剰変位を規制するアーム過剰変位防止部とを有する電線カバーとを備え、前記アーム過剰変位防止部は、前記電線カバーの前記ハウジング取付部が前記コネクタハウジングに取り付けされた状態で前記ロックアームの過剰変位を規制することを特徴とする。
【００１５】
前記アーム過剰変位防止部は、前記ハウジング取付部の一部によって構成されることが好ましい。
【発明の効果】
【００１６】
本発明によれば、電線カバーのハウジング取付部がコネクタハウジング内に入り込むことによって取り付けされるため、コネクタハウジングからの電線カバーの突出寸法が小さくなる。又、電線カバーにアーム過剰変位防止部を設けたため、ロックアームの過剰変位を防止できる。以上より、電線カバーの突出寸法を小さくでき、しかも、ロックアームの過剰変位を防止できる。
【図面の簡単な説明】
【００１７】
【図１】本発明の一実施形態を示し、コネクタの斜視図である。
【図２】本発明の一実施形態を示し、ハウジング前面側から見たコネクタハウジングの斜視図である。
【図３】本発明の一実施形態を示し、ハウジング後面側から見たコネクタハウジングの斜視図である。
【図４】本発明の一実施形態を示し、蓋体を開放した状態の電線カバーの斜視図である。
【図５】本発明の一実施形態を示し、（ａ）はロックアームがロック位置であるコネクタの断面図、（ｂ）はロックアームがロック解除位置であるコネクタの断面図である。
【図６】従来例を示し、ハウジング前面側から見たコネクタハウジングの斜視図である。
【図７】従来例を示し、ハウジング後面側から見たコネクタハウジングの斜視図である。
【図８】従来例を示し、（ａ）はロックアームがロック位置であるコネクタの断面図、（ｂ）はロックアームがロック解除位置であるコネクタの断面図である。
【図９】従来例のコネクタハウジングの後面位置に突き合わせるようにして電線カバーを取り付けた状態を示す断面図である。
【図１０】従来例のコネクタハウジングの後面側に電線カバーの一部が入り込むようにして電線カバーを取り付けた状態を示す断面図である。
【発明を実施するための形態】
【００１８】
以下、本発明の一実施形態を図面に基づいて説明する。
【００１９】
図１〜図５は本発明の一実施形態を示す。図１及び図５（ａ）、（ｂ）に示すように、コネクタ１は、コネクタハウジング２と、このコネクタハウジング２のハウジング後面側に取り付けられた電線カバー１０とを備えている。
【００２０】
コネクタハウジング２は、図２、図３及び図５（ａ）、（ｂ）に示すように、ハウジング前面側に開口された相手ハウジング嵌合室３と、相手ハウジング嵌合室３に嵌合された相手ハウジング（図示せず）をロックするロックアーム４と、外部に引き出す電線（図示せず）をガイドする電線引出部５と、電線引出部５の外周側に設けられたカバー取付部６とを有する。
【００２１】
相手ハウジング嵌合室３内には、端子収容部７が突設されている。端子収容部７内には２つの端子（図示せず）がそれぞれ収容されている。各端子（図示せず）には電線（図示せず）の一端が接続されている。
【００２２】
ロックアーム４は、中央箇所で揺動自在にコネクタハウジング２に支持されている。ロックアーム４の一端側には、係止部４ａが設けられている。係止部４ａは、相手ハウジング嵌合室３内に配置されている。ロックアーム４の他端側にはアーム操作部４ｂが設けられている。アーム操作部４ｂは、ハウジング後面側に配置されている。アーム操作部４ｂの上面側のコネクタハウジング２は、開口部２ａとされている。この開口部２ａを利用して作業者がアーム操作部４ｂを押下できる。アーム操作部４ｂを押下することによってロックアーム４をロック位置（図５（ａ）の位置）からロック解除位置（図５（ｂ）の位置）に弾性変形によって変位できる。アーム操作部４ｂの押下を止めると、ロックアーム４がロック解除位置（図５（ｂ）の位置）からロック位置（図５（ａ）の位置）に弾性復帰変形によって戻る。
【００２３】
電線引出部５は、端子収容部７よりハウジング後面側に設けられている。電線引出部５は、アーム操作部４ｂの解除操作方向に配置されている。電線引出部５は、２つの電線通路５ａを有する。各電線通路５ａは、その一端側が各端子収容部（図示せず）内に開口し、他端側がハウジング後面に開口している。各端子（図示せず）に接続された各電線（図示せず）は、電線引出部５の各電線通路５ａを通ってハウジング後面側より外部に導かれている。
【００２４】
電線引出部５のハウジング後面側は、カバー取付部６とされている。カバー取付部６は、周方向に突設された略２条の係止壁部６ａを有する。
【００２５】
電線カバー１０は、図４及び図５（ａ）、（ｂ）に示すように、カバー本体１１とこのカバー本体１１にヒンジ部１２を介して連結された蓋体１３とから一部品として構成されている。電線カバー１０は、図４に示すように、カバー本体１１と蓋体１３の互いの接合面を離間させた分離状態から、図５（ａ）、（ｂ）に示すように、カバー本体１１と蓋体１３の互いの接合面を突き合わせた合体状態に形態変更できる。
【００２６】
カバー本体１１と蓋体１３には、ハウジング取付部１４と電線カバー本体部１５が分割して設けられている。ハウジング取付部１４と電線カバー本体部１５は、合体状態で連続形態となる。ハウジング取付部１４は、内面側に周方向に略２条の係止溝部１４ａを有する。ハウジング取付部１４は、電線カバー１０の分離状態から合体状態への形態変位させることによって、コネクタハウジング２の後面側に入り込み、カバー取付部６の外周に嵌合、つまり、カバー取付部６の各係止壁部６ａがハウジング取付部１４の各係止溝部１４ａに入り込む。
【００２７】
電線カバー本体部１５内には、合体状態で電線通路１５ａが形成されている。コネクタハウジング２の電線引出部５より導かれた電線（図示せず）は、この電線通路１５ａを通って外部に引き出される。
【００２８】
ハウジング取付部１４のアーム操作部４ｂ側は、アーム過剰変位防止部１６とされている。アーム過剰変位防止部１６は、電線カバー１０がコネクタハウジング２に取り付けされた状態では、アーム操作部４ｂのロック解除方向に位置し、アーム操作部４ｂの過剰操作、つまり、ロックアーム４の過剰変位を規制する。
【００２９】
上記構成において、コネクタ嵌合するには、先ず、コネクタハウジング２の電線引出部５より引き出された電線（図示せず）を内側に収容しつつ電線カバー１０をコネクタハウジング２のハウジング後面側に取り付ける。次に、アーム操作部４ｂを押下してロックアーム４をロック解除位置（図５（ｂ）の位置）とし、相手コネクタハウジング（図示せず）を相手ハウジング嵌合室３に挿入する。相手コネクタハウジング（図示せず）を嵌合完了位置まで挿入すると、アーム操作部４ｂの押下を止める。すると、ロックアーム４がロック位置（図５（ａ）の位置）に変位し、相手コネクタハウジング（図示せず）の被係止部（図示せず）に係止する。これにより、双方のコネクタハウジング２，（図示せず）間が嵌合状態でロックされる。
【００３０】
コネクタ嵌合を解除するには、アーム操作部４ｂを押下してロックアーム４をロック解除位置とし、相手コネクタハウジング（図示せず）を相手ハウジング嵌合室３より引き抜けば良い。
【００３１】
以上説明したように、コネクタは、相手ハウジング嵌合室３に嵌合された相手ハウジング（図示せず）をロックするロックアーム４と、操作によってロックアーム４をロック解除位置に変位できるアーム操作部４ｂと、アーム操作部４ｂの解除操作方向に配置され、外部に導く電線（図示せず）をガイドする電線引出部５と、電線引出部５の外周側に設けられたカバー取付部６とを有するコネクタハウジング２と、コネクタハウジング２の電線引出部５の外周側に入り込み、カバー取付部６に嵌合するハウジング取付部１４と、ロックアーム４の過剰変位を規制するアーム過剰変位防止部１６とを有する電線カバー１０とを備えている。従って、電線カバー１０のハウジング取付部１４がコネクタハウジング２内に入り込むことによって取り付けされるため、コネクタハウジング２からの電線カバー１０の突出寸法Ｌ１（図５（ａ）、（ｂ）に示す）が小さくなる。又、電線カバー１０にアーム過剰変位防止部１６を設けたため、ロックアーム４の過剰変位を防止できる。以上より、電線カバー１０の突出寸法Ｌ１を小さくでき、しかも、ロックアーム４の過剰変位を防止できる。
【００３２】
アーム過剰変位防止部１６は、ハウジング取付部１４の一部によって構成されている。従って、アーム過剰変位防止部１６をハウジング取付部１４と別に設ける必要がなく、構造の単純化を図ることができる。
【符号の説明】
【００３３】
１  コネクタ
２  コネクタハウジング
３  相手ハウジング嵌合室
４  ロックアーム
４ｂ  アーム操作部
５  電線引出部
６  カバー取付部
１０  電線カバー
１４  ハウジング取付部
１６  アーム過剰変位防止部
【図１】
0005728245.tif 000002
【図２】
0005728245.tif 000003
【図３】
0005728245.tif 000004
【図４】
0005728245.tif 000005
【図５】
0005728245.tif 000006
【図６】
0005728245.tif 000007
【図７】
0005728245.tif 000008
【図８】
0005728245.tif 000009
【図９】
0005728245.tif 000010
【図１０】
0005728245.tif 000011